(57)【要約】【課題】  小型で、表示記録媒体の搬送により画像光出射デバイスが擦られるのを防ぐようにした画像形成装置を提供する。【解決手段】  画像形成装置は、無電源で画像を表示可能な表示記録媒体４を書込み位置へ搬送し、ＬＣＤパネル３５を用いて画像を表示記録媒体４に書き込む画像書込ユニット３を備える。書込み位置には、ＬＣＤパネル３５を保持するＬＣＤホルダ３０７が一端を回転軸３０８で軸支して配置され、搬送ローラ３０３Ａ，３０４Ａによる書込み位置への表示記録媒体４の搬入、および書込み位置からの搬出に連動して、偏心カム３０５Ａ，３０５Ｂを回転させてＬＣＤホルダ３０７の他端を押し下げ、ＬＣＤパネル３５と表示記録媒体４の間に空間を形成する。【選択図】    図４
2006312273.tif 000002
【特許請求の範囲】
【請求項１】
光導電層と、前記光導電層への二次元画像光の照射により生じた電界分布に応じて画像表示がなされる表示層とが積層され、無電源で画像を表示可能な表示記録媒体に、書込み位置において二次元画像光を出射する出射面を備える画像光出射デバイスから前記光導電層に前記二次元画像光を照射して画像を書き込む画像形成装置において、
前記表示記録媒体の挿入部と、
前記挿入部から挿入された前記表示記録媒体を前記書込み位置へ搬入、および前記書込み位置から搬出を行う搬送手段と、
前記搬送手段による前記表示記録媒体の搬入および搬出により前記表示記録媒体が前記画像光出射デバイスと対向する前に前記画像光出射デバイスの前記出射面を前記表示記録媒体面から離間させ、前記表示記録媒体の前記書込み位置では近接させる離接手段とを備えたことを特徴とする画像形成装置。
【請求項２】
前記画像光出射デバイスは、前記表示記録媒体の搬入側が自由端として回動するよう軸支されたホルダに保持され、
前記離接手段は、前記ホルダを回動させて前記表示記録媒体に離接させる回動手段を備えたことを特徴とする請求項１に記載の画像形成装置。
【請求項３】
前記回動手段は、前記ホルダを前記表示記録媒体側に押圧するばね部材と、前記ばね部材による押圧力に抗して前記ホルダを前記表示記録媒体から離間させる回動駆動部とを備えたことを特徴とする請求項２に記載の画像形成装置。
【請求項４】
前記回動駆動部は、前記ホルダを離間させるカムと、前記カムを回転駆動するカム駆動部とを備えたことを特徴とする請求項３に記載の画像形成装置。
【請求項５】
前記回動手段は、前記ホルダに設けられ、前記表示記録媒体の搬入および搬出の動作に伴って前記表示記録媒体から加えられる力によって前記ホルダを離間させる回動部材を備えたことを特徴とする請求項２に記載の画像形成装置。
【請求項６】
前記回動部材は、前記表示記録媒体とのすべり接触により前記ホルダを離間させる低摩擦部材であることを特徴とする請求項５に記載の画像形成装置。
【請求項７】
前記回動部材は、前記表示記録媒体とのころがり接触により前記ホルダを離間させる回転部材であることを特徴とする請求項５に記載の画像形成装置。
【請求項８】
前記表示記録媒体は、前記画像を表示する表示面と前記表示面に隣接するフレームとが１面を構成する支持体を有してなり、
前記回動部材は、前記フレームに接触するように配置されたことを特徴とする請求項６又は７に記載の画像形成装置。
【請求項９】
前記搬送手段は、少なくとも前記書込み位置付近において前記表示記録媒体を誘導するガイド部材を備えており、前記ガイド部材は前記回動部材と対向する位置で前記回動部材の少なくとも一部を収容する凹部を備えることを特徴とする請求項６から８のいずれかに記載の画像形成装置。
【請求項１０】
前記回転部材は、前記表示記録媒体の搬入方向に対して傾斜させて配設されたローラであることを特徴とする請求項７に記載の画像形成装置。
【請求項１１】
前記回動手段は、前記表示記録媒体の搬入および搬出に連動して前記ホルダを下方に離間させることを特徴とする請求項２に記載の画像形成装置。
【請求項１２】
前記搬送手段は、挿入口に挿入された前記表示記録媒体を前記書込み位置に搬入し、前記画像が書き込まれた前記表示記録媒体を前記挿入口に搬出することを特徴とする請求項１又は２に記載の画像形成装置。
【請求項１３】
前記搬送手段は、挿入口に挿入された前記表示記録媒体を前記書込み位置に搬入し、前記画像が書き込まれた前記表示記録媒体を前記表示記録媒体の搬入方向に設けられた排出口に搬出することを特徴とする請求項１又は２に記載の画像形成装置。
【請求項１４】
前記ばね部材は、前記ホルダの回動軸側と自由端の間で、前記自由端側に配置されたことを特徴とする請求項３に記載の画像形成装置。
【請求項１５】
前記ばね部材は、前記ホルダの回動軸方向の前記光出射面を挟んだ２箇所に少なくとも配置されたことを特徴とする請求項３に記載の画像形成装置。
【請求項１６】
前記画像光出射デバイスは、フラットディスプレイであることを特徴とする請求項１に記載の画像形成装置。
【発明の詳細な説明】
【技術分野】
【０００１】
本発明は、無電源で画像を表示可能な表示記録媒体に画像光を照射して画像の書込みを行う画像形成装置に関する。
【背景技術】
【０００２】
近年、表示記録媒体として、紙媒体や電子ディスプレイデバイスの他に、電子ディスプレイの長所と紙の長所を併せ持った表示記録媒体（デジタルペーパとも称せられる。）が注目されている。
【０００３】
この表示記録媒体は、表示に関してメモリ性を有することから、情報の書き替え時のみ画像書込装置により書込みのエネルギーを与えるだけで良く、表示を維持するエネルギー付与は不要である。従って、情報の書込み後に画像書込装置から表示記録媒体のみを切り離し、紙媒体のように手軽に持ち運んだり、重ねたり、並べたり、手に持って情報を読むことができる。
【０００４】
上記のようなメモリ性を有する表示記録媒体として、光の照射と電圧の印加によって画像が可視的かつ消去自在にメモリされる光書込型表示記録媒体、及びこの表示記録媒体に画像を書き込む画像書込装置が知られている（例えば、特許文献１参照）。
【０００５】
この特許文献１に記載された表示記録媒体は、一対の透明電極間に、液晶層と、光の照射によって抵抗値が変化する光導電層とが積層されたものである。また、その表示記録媒体に画像を書き込む画像記録装置は、ＬＣＤ（液晶ディスプレイ）パネルから２次元的な光パターンを２次元マイクロレンズアレイを介して表示記録媒体の光導電層に結像するように照射し、光導電層に光パターンに基づく抵抗分布を生じさせ、透明電極間に受電部を介して電圧を印加して、光導電層の抵抗分布に基づく分圧分布を液晶層に印加し、分圧分布に応じた画像を液晶層に記録するものである。
【０００６】
この光書込型表示記録媒体の画像書込装置によれば、一対の電極全体に電圧を印加しながら画像情報を面状に露光することで印字が可能なため、ライン露光や走査露光などに比べ、大容量の画像情報を高速に書き込むことが可能となる。
【特許文献１】特開２００１−３０１２３３号公報（［００３１］〜［００４３］、図１、図２）
【発明の開示】
【発明が解決しようとする課題】
【０００７】
しかし、従来の画像書込装置によると、表示記録媒体を書込部の下側に搬送して画像を記録する場合、表示記録媒体とＬＣＤパネルを密着させた状態で搬送すると、ＬＣＤパネルの表面に擦り疵を付けたり、若しくは破損に至ることがある。従って、表示記録媒体の搬送時には表示記録媒体とＬＣＤパネルが密着せず、印字時には両者が密着し、或いは両者間に狭い間隙が形成されることが望ましい。
【０００８】
一方、表示記録媒体とＬＣＤパネルの間の擦れを防止する構成として、画像書込装置に挿入された表示記録媒体をＬＣＤパネルと離間した状態を保つように搬送機構で搬送し、ＬＣＤパネルに対向した時点で表示記録媒体面をＬＣＤパネル側に近接させるリフト機構が考えられる。しかし、表示記録媒体をＬＣＤパネルの対向部まで搬送する機構と表示記録媒体をＬＣＤパネルに対して離接させる機構とは互いに連携されている必要があるため、表示記録媒体の離接機構だけではなく搬送機構の搬送経路の一部も連動して上下動させなければならず、装置構造が複雑化し、特に表示記録媒体面方向である離接方向での装置の厚みが大きくなってしまうという問題があり、装置の薄型化の障害となるおそれがある。
【０００９】
従って、本発明の目的は、小型で、表示記録媒体の搬送により画像光出射デバイスの破損を防ぐようにした画像形成装置を提供することにある。
【課題を解決するための手段】
【００１０】
本発明は、上記目的を達成するため、光導電層と、前記光導電層への二次元画像光の照射により生じた電界分布に応じて画像表示がなされる表示層とが積層され、無電源で画像を表示可能な表示記録媒体に、書込み位置において二次元画像光を出射する出射面を備える画像光出射デバイスから前記光導電層に前記二次元画像光を照射して画像を書き込む画像形成装置において、前記表示記録媒体の挿入部と、前記挿入部から挿入された前記表示記録媒体を前記書込み位置へ搬入、および前記書込み位置から搬出を行う搬送手段と、
前記搬送手段による前記表示記録媒体の搬入および搬出により前記表示記録媒体が前記画像光出射デバイスと対向する前に前記画像光出射デバイスの前記出射面を前記表示記録媒体面から離間させ、前記表示記録媒体の前記書込み位置では近接させる離接手段とを備えたことをを特徴とする画像形成装置を提供する。
【００１１】
上記画像形成装置によれば、表示記録媒体の搬入および搬出によって、表示記録媒体がを書込み位置に配置される前に、画像光出射デバイス側を表示記録媒体から離間させ、書込み位置では近接させることで、接触を防止しつつ画像の書込みが達成される。なお、光導電層への二次元画像光の照射により生じた電界分布に応じて画像表示がなされる表示層としては、液晶層、電気泳動層、ＥＬ層等電界駆動の各種表示デバイスを用いることができる。
【００１２】
画像光出射デバイスは、表示記録媒体の搬入方向側で回動自在に軸支されたホルダに保持され、離接手段は、ホルダを回動させて書込み位置から離間させる回動手段を備えた構成としてもよい。画像光出射デバイスを画像光出射面に垂直な方向に移動させてもよいが、画像光出射デバイスを回動させることにより、接離機構の構成を簡単なものとすることができる。
【００１３】
回動手段は、ホルダを書込み位置側に押圧するばね部材と、ばね部材による押圧力に抗してホルダを離間させる回動駆動部とを備えた構成としてもよい。ホルダを書込み位置側に押圧する部材として、ばね部材を用いることにより、安定した押圧力が得られる。ばね部材としては圧縮バネ、引っ張りバネ、板バネ、ねじれバネ、ゼンマイ、皿バネを用いることができる。この場合、回動駆動部は、ホルダを離間させるカムと、カムを回転駆動するカム駆動部とを備えた構成としてもよい。このようなカム機構により正確に回動させることができる。カムは、偏心カム、板カム等の各種のカムを用いることができる。
【００１４】
回動手段は、ホルダに設けられ、表示記録媒体の搬入および搬出の動作によってホルダを離間させる回動部材を備えた構成としてもよい。この構成によれば、ホルダを回動させる駆動系を省くことができる。
【００１５】
上記回動部材として、表示記録媒体とのすべり接触によりホルダを離間させる低摩擦部材や、表示記録媒体とのころがり接触によりホルダを離間させる回転部材を用いることができる。低摩擦部材は、全体が樹脂から形成してもよく、金属等の表面に４フッ化エチレン樹脂等の樹脂をコーティングしたものでもよく、また、ホルダと一体的に形成してもよい。
【００１６】
また、回転部材は、表示記録媒体の搬入方向に対して傾斜させて配設されたローラを用いてもよい。これにより、表示記録媒体の搬送方向に対して傾斜した方向に分力が発生するため、表示記録媒体の両側に一対のガイド部材を設けることにより、表示記録媒体が一方のガイド部材に押されて表示記録媒体の傾きを防ぐことができる。
【００１７】
回動手段は、表示記録媒体の搬入および搬出に連動してホルダを下方に離間させてもよい。ホルダの支持が容易となり、回動機構の小型化が図れる。
【００１８】
搬送手段は、挿入口に挿入された表示記録媒体を書込み位置に搬入し、画像が書き込まれた表示記録媒体を挿入口に搬出する構成としてもよい。これにより、表示記録媒体に接触する電極を固定した状態で保持することができる。
【００１９】
搬送手段は、挿入口に挿入された表示記録媒体を書込み位置に搬入し、画像が書き込まれた表示記録媒体を表示記録媒体の搬入方向に設けられた排出口に搬出する構成としてもよい。搬入方向に搬出することにより書込み処理を効率的に行うことができる。
【００２０】
画像光出射デバイスは、フラットディスプレイを用いるのが好ましい。薄型のディスプレイを用いることにより、装置の薄型化が図れる。フラットディスプレイとして、例えば、ＬＣＤ（液晶ディスプレイ）、ＥＬＤ（エレクトロルミネッセンスディスプレイ）、ＰＤＰ（プラズマディスプレイ）、ＶＦＤ（蛍光表示管ディスプレイ）、ＬＥＤ（発光ダイオード）ディスプレイ、ＦＥＤ（電界放出ディスプレイ）等を用いることができる。
【発明の効果】
【００２１】
本発明の画像形成装置によれば、挿入部より挿入され、挿入部から搬送手段により書込み位置に搬送された表示記録媒体に対して画像光出射デバイスの書込み光出射面側を離接させることにより、表示記録媒体の搬送機構を全体的に移動させるよりも、離接機構の可動範囲が少なくて済み、結果として装置全体が薄型化することができる。また、構成が簡素となる点でも装置の小型化に有利となる。このように薄型化を達成しつつ、表示記録媒体の搬送による画像光出射デバイスの破損を防ぐことができる。
【発明を実施するための最良の形態】
【００２２】
［第１の実施の形態］
図１は、本発明の第１の実施の形態に係る画像形成装置の外観を示す。この画像形成装置１００は、パーソナルコンピュータ（ＰＣ）１と、このＰＣ１に接続されたコントローラ２と、コントローラ２の制御の下に表示記録媒体４への画像の書込みを行う画像書込ユニット３とを備える。なお、ＰＣ１およびコントローラ２を１つの書込指示装置として構成してもよい。
【００２３】
ＰＣ１は、表示記録媒体４に書き込む画像データをコントローラ２に転送し、コントローラ２に対して画像の書込み指示を行うものである。コントローラ２に転送する画像データには、このＰＣ１のキーボード，マウス等を操作して作成した画像データや、記録媒体あるいはネットワークを介して外部から取得した画像データが含まれる。
【００２４】
画像書込ユニット３は、略箱型状の筐体３１０を有し、筐体３１０の正面に水平方向に形成され、表示記録媒体４が挿入されるとともに排出される挿入口５を有する。なお、画像書込ユニット３は、挿入口５が縦方向になるように構成してもよい。
【００２５】
図２は、コントローラ２および画像書込ユニット３の内部の詳細構成を示す。
【００２６】
画像書込ユニット３は、表示記録媒体４が挿入口５から所定の位置に挿入されたことを光学的に検出する発光素子および受光素子からなる媒体検出センサ３１と、挿入された表示記録媒体４を書込み位置に搬入するとともに、画像が書き込まれた表示記録媒体４を挿入口５から搬出する媒体搬送部３２と、表示記録媒体４に画像光を照射する画像光出射デバイスとしてのＬＣＤパネル３５と、ＬＣＤパネル３５を保持する後述するＬＣＤホルダを表示記録媒体４の書込み位置から離間させる離接手段としてのリフト駆動部３３と、表示記録媒体４の一対の受電部４０７に接触可能な一対のリード３４と、ＬＣＤパネル３５を駆動するＬＣＤ駆動部３６と、ＬＣＤパネル３５のバックライトとなるＬＥＤ等による光源３７とを備える。
【００２７】
コントローラ２は、ＣＰＵ等を用いて構成された制御部２０と、画像データを記憶する画像メモリ２１と、表示記録媒体４に印加する駆動電圧を生成するパルス電源部２２と、画像書込ユニット３の各部に電源を供給する電源部２３とを備える。
【００２８】
制御部２０は、表示記録媒体４の書込み位置への搬入、書込み位置からの搬出に連動してリフト駆動部３３を制御するように構成されている。
【００２９】
図３は、コントローラ２および画像書込ユニット３の内部構成を示す。また、図４は、図３の画像書込ユニット３の各部の断面図を示し、（ａ）は図３のＡ−Ａ線断面図、（ｂ）は図３のＢ−Ｂ線断面図、（ｃ）は図３のＣ−Ｃ線断面図である。また、図５は、図３のＤ−Ｄ線断面図である。
【００３０】
媒体搬送部３２は、筐体３１０の内部の両側に配置され、挿入口５から挿入された表示記録媒体４をガイドする断面コ字状の一対のガイド部材３０１Ａ，３０１Ｂと、一対のガイド部材３０１Ａ，３０１Ｂに形成した切欠きから表示記録媒体４の搬送路に臨ませて配置された搬送ローラ３０３Ａ，３０３Ｂ，３０４Ａ，３０４Ｂと、搬入された表示記録媒体４を停止させるストッパ３０９Ａ，３０９Ｂと、搬送ローラ３０３Ａ，３０３Ｂ，３０４Ａ，３０４Ｂを回転駆動する図示しない搬送モータとを備える。
【００３１】
ＬＣＤパネル３５を保持するＬＣＤホルダ３０７は、表示記録媒体４の搬入方向側の両側面に突設した回転軸３０８により回動自在に軸支され、中間部の一方の側面に圧縮バネ３０６の上端を係止する突片３１１を設け、先端側の両側面に偏心カム３０５Ａ，３０５Ｂを受ける突片３０２Ａ，３０２Ｂを設けている。なお、突片３１１を左右に設け、左右の圧縮バネ３０６に押圧するようにしてもよい。これにより、バランス良く押圧することができる。
【００３２】
リフト駆動部３３は、ＬＣＤホルダ３０７の突片３１１を上方に押圧する圧縮バネ３０６と、回転軸３１２に軸支されると共に回転に応じてＬＣＤホルダ３０７に設けられた突片３０２Ａ，３０２Ｂを押下する偏心カム３０５Ａ，３０５Ｂと、偏心カム３０５Ａ，３０５Ｂを回動させる図示しないリフトモータとを備える。
【００３３】
図６は、表示記録媒体４の層構成を示す。この表示記録媒体４は、対向配置したＰＥＴ（ポリエチレンテレフタレート）フィルムからなる一対の透明な基板４０１Ａ，４０１Ｂと、一対の基板４０１Ａ，４０１Ｂの内側に設けられたＩＴＯ（インジウム錫酸化物）からなる一対の透明電極４０２Ａ，４０２Ｂと、透明電極４０２Ａの内側に設けられるとともに印加電圧に応じて反射率（透過率）が変化するコレステリック液晶からなる液晶層４０３と、透明電極４０２Ｂの内側に配設され、表示面としての画像書込表示領域４ｃへの書込パターン光４０の照射によって抵抗値が小さくなるように形成された光導電層４０４と、透明電極４０２Ｂと光導電層４０４の間に設けられた光吸収層４０５と、透明電極４０２Ｂから裏面４ｂ側に延在する延在部４０６と、透明電極４０２Ａと延在部４０６に接続するように形成された一対の受電部４０７と、基板４０１Ａ，４０１Ｂ間を埋めるように充填された樹脂充填部４０８と、液晶層４０３と光導電層４０４の間に設けられた離間層４０９とを備える。また、表示記録媒体４は、表示面に隣接するフレーム部４ｆが表示面と１面を構成する支持体を有している。
【００３４】
（画像形成装置の動作）
次に、画像形成装置１００の動作を図１〜図６を参照して説明する。
【００３５】
（１）表示記録媒体の挿入
まず、ユーザが、図１に示すように、受電部４０７を上面かつ挿入側にして表示記録媒体４を画像書込ユニット３の挿入口５に挿入する。表示記録媒体４が所定の位置まで挿入されると、媒体検出センサ３１がその挿入を検出し、媒体検出信号をコントローラ２に送信する。
【００３６】
（２）ＬＣＤホルダの書込み位置からの離間
コントローラ２の制御部２０は、媒体検出センサ３１からの媒体検出信号に基づいてリフト駆動部３３の図示しないリフトモータを正転駆動し、図４（ｃ）示すように、回転軸３０８を中心にカム３０５Ａ，３０５ＢをＡからＢ方向へ回転させ、ＬＣＤホルダ３０７を圧縮バネ３０６のバネ力に抗して図４の（ｃ）の実線位置から点線位置に傾斜させる。すなわち、ＬＣＤホルダ３０７を書込み位置から離間させる。
【００３７】
（３）表示記録媒体の搬入
制御部２０は、リフト駆動部３３を駆動すると同時、あるいはリフト駆動部３３の駆動開始から所定の時間経過後に、媒体搬送部３２の図示しない搬送モータを正転駆動し、搬送ローラ３０３Ａ，３０３Ｂ，３０４Ａ，３０４Ｂを回転させ、表示記録媒体４を奥側へ搬入させる。制御部２０は、表示記録媒体４が搬送され、その先端がストッパ３０９Ａ，３０９Ｂに当接して１、２秒を経過するタイミングで、搬送ローラ３０３Ａ，３０３Ｂ，３０４Ａ，３０４Ｂの回転を停止させる。このとき、リード３４が表示記録媒体４の受電部４０７に接触した状態になる。
【００３８】
（４）ＬＣＤホルダの書込み位置への回動
次に、制御部２０は、リフト駆動部３３のリフトモータを逆転駆動し、カム３０５Ａ，３０５ＢをＢからＡ方向に回転させ、ＬＣＤホルダ３０７を図４の（ｃ）の点線位置から実線位置に回動させる。ＬＣＤホルダ３０７は、圧縮バネ３０６のバネ力によって回転軸３０８を中心に上方に押圧され、ＬＣＤパネル３５は表示記録媒体４に平行な位置になる。すなわち、ＬＣＤホルダ３０７を書込み位置に位置させる。このとき、表示記録媒体４の画像書込表示領域４ｃは、若干の間隙（例えば、１００〜５００μｍ）を設けてＬＣＤパネル３５に対面している。なお、画像書込表示領域４ｃとＬＣＤパネル３５とは密着してもよい。
【００３９】
（５）画像の書込み
次に、ユーザは、ＰＣ１を操作し、表示記録媒体４に書き込みたい画像を選択し、その画像データおよび書込み指示をコントローラ２へ送出する。コントローラ２は、ＰＣ１から送信された画像データを画像メモリ２１に記憶するとともに、書込み指示に従って書込みを開始する。
【００４０】
コントローラ２の制御部２０は、電源部２１を動作させて光源３７を点灯する。また、パルス電源部２２を動作させ、通常の書込み動作の前に、表示記録媒体４を初期化するための初期化電圧を一対の受電部４０７間に印加する。この初期化電圧の印加によって表示記録媒体４の画像書込表示領域４ｃに全白または全黒が表示される。このとき、ＬＣＤ駆動部３６は動作させない。なお、ＬＣＤ駆動部３６を動作させた状態で、初期化電圧を印加して、全白または全黒にしてもよい。
【００４１】
初期化が完了すると、制御部２０は、パルス電源部２２から一対のリード３４を介して表示記録媒体４の一対の受電部４０７に所定の電圧を印加するとともに、画像メモリ２１が記憶する画像データに応じた書込信号をＬＣＤ駆動部３６に供給する。ＬＣＤ駆動部３６は、書込信号に基づいたＬＣＤパネル３５を駆動し、書込パターン光４０を表示記録媒体４の画像書込表示領域４ｃに照射させる。
【００４２】
表示記録媒体４の画像書込表示領域４ｃに照射された書込パターン光４０は、基板４０１Ａ、透明電極４０２Ａ、液晶層４０３および離隔層４０９を介して光導電層４０４に到達する。光導電層４０４は、光が照射された部分の抵抗値が小さくなり、それにより、光導電層４０４とのインピーダンス比で決まる液晶層４０３の分圧が増加し、液晶層４０３における光反射率が大きくなる。従って、表示記録媒体４の表面４ａに照明光４１が照射されているとき、液晶層４０３の書込パターン光４０が照射された領域は、反射率が大きくなるために照明光４１が反射して白く見え、書込パターン光４０が照射されなかった領域は、照明光４１が液晶層４０３を透過して光吸収層４０５で吸収されるために黒く見え、反射光４３をＥ方向から画像として見ることができる。この画像は、受電部４０７への電圧印加が消失した後でも、長時間保持される。
【００４３】
（６）ＬＣＤホルダの書込み位置からの離間
ＬＣＤ駆動部３６による表示記録媒体４への書込み動作が終了すると、制御部２０は、リフト駆動部３３の図示しないリフトモータを正転駆動し、図４（ｃ）示すように、回転軸３０８を中心にカム３０５Ａ，３０５ＢをＡからＢ方向へ回転させ、ＬＣＤホルダ３０７を図４の（ｃ）の実線位置から点線位置に傾斜させる。
【００４４】
（７）表示記録媒体の搬出
制御部２０は、リフト駆動部３３を駆動すると同時、あるいはリフト駆動部３３の駆動開始から所定の時間経過後に、媒体搬送部３２の搬送モータを逆転駆動し、搬送ローラ３０３Ａ，３０３Ｂ，３０４Ａ，３０４Ｂを逆回転させ、表示記録媒体４を挿入口５へ送り出す。制御部２０は、表示記録媒体４の通過を媒体検出センサ３１が検出したことをもって、搬送ローラ３０３Ａ，３０３Ｂ，３０４Ａ，３０４Ｂを停止させる。
【００４５】
（８）ＬＣＤホルダの書込み位置への回動
搬送モータを停止させた後、制御部２０は、リフト駆動部３３のリフトモータを逆転駆動し、カム３０５Ａ，３０５ＢをＢからＡ方向に回転させ、ＬＣＤホルダ３０７を図４の（ｃ）の点線位置から実線位置に回動させる。
【００４６】
（９）表示記録媒体の取出し
ユーザは、挿入口５から露出した表示記録媒体４を手で画像書込ユニット３から引き出す。以上により、表示記録媒体４への書込みが完了し、ユーザは、表示記録媒体４の画像書込表示領域４ｃに書き込まれた文字や静止画による画像を照明光４１の下で見ることができる。
【００４７】
（第１の実施の形態の効果）
第１の実施の形態によれば、表示記録媒体４の書込み位置への搬入および書込み位置からの搬出の際に、ＬＣＤホルダ３０７を書込み位置から離間させることにより、ＬＣＤパネル３５の表面に疵が付き難くなる。また、ＬＣＤホルダ３０７を回動させて離間させているので、構成を簡単にすることができ、装置の小型化を図ることができる。さらに、表示記録媒体４は、表面４ａに書込み面と観察面を設けているので、裏面４ｂを印刷面として利用することができる。また、搬送ローラ３０３Ａ，３０３Ｂ，３０４Ａ，３０４Ｂは、表示記録媒体４の画像書込表示領域４ｃ上を通過しないように設けているので、画像書込表示領域４ｃの損傷を防ぐことができる。また、圧縮バネ３０６をＬＣＤパネル３５の中心よりも回転軸３０８から遠い位置に設けているので、小さなバネ力で済み、ＬＣＤホルダ３０７の剛性を低くすることができる。
【００４８】
［第２の実施の形態］
図７は、本発明の第２の実施の形態に係る画像書込ユニットを示す。この第２の実施の形態は、第１の実施の形態において、突片３０２Ａ，３０２Ｂ及びカム３０５Ａ，３０５ＢをＬＣＤホルダ３０７の表示記録媒体４の進行方向寄りに設けると共に、突片３１１及び圧縮バネ３０６を中央部に配置し、さらに回転軸３０８を端部から中心寄りに設置したものであり、その他の構成は第１の実施の形態と同様である。なお、図７においては、ガイド部材３０１Ａ，３０１Ｂ等の図示を省略している。
【００４９】
この第２の実施の形態において、表示記録媒体４が書込み位置に搬入されるとき、制御部２０及びリフト駆動部３３によりカム３０５Ａ，３０５ＢをＣ方向に回転させ、ＬＣＤホルダ３０７のストッパ３０９Ａ，３０９Ｂ側の端部を持ち上げ、表示記録媒体４の搬入側の端部を圧縮バネ３０６に抗して降下させてＬＣＤホルダ３０７の全体を傾斜させ、ＬＣＤホルダ３０７と搬入された表示記録媒体４との間に空間を形成する。
【００５０】
表示記録媒体４が書込み位置に搬送されると、カム３０５Ａ，３０５ＢをＤ方向に回転させ、圧縮バネ３０６によってＬＣＤホルダ３０７を押し上げ、ＬＣＤパネル３５を表示記録媒体４に近接あるいは密着させる。
【００５１】
この第２の実施の形態によれば、第１の実施の形態と同様に、ＬＣＤパネル３５の表面に疵が付くのを防止することができるとともに、カム３０５Ａ，３０５ＢをＬＣＤホルダ３０７の後方に設けたので、画像書込ユニット３の幅方向の小型化が図れる。
【００５２】
［第３の実施の形態］
図８は、本発明の第３の実施の形態に係る画像書込ユニットを示す。図８において、（ａ）は表示記録媒体４の搬入前の状態を示し、（ｂ）は表示記録媒体４の噛み込み直後の状態を示し、（ｃ）は表示記録媒体４の搬入完了後の状態を示し、（ｄ）は（ａ）のＥ−Ｅ線断面図、（ｅ）は（ａ）のＦ−Ｆ線断面図である。
【００５３】
この第３の実施の形態は、第１の実施の形態において、ＬＣＤホルダ３０７から突片３０２Ａ，３０２Ｂを除去し、さらにカム３０５Ａ，３０５Ｂを除去した構成にした他、ＬＣＤホルダ３０７の表示記録媒体４の挿入側の端部に回動部材としてのリフトローラ３１３を設置し、ガイド部材３０１Ａ，３０１Ｂにリフトローラ３１３を受ける受け部材３２０を取り付けたものであり、その他の構成は第１の実施の形態と同様である。
【００５４】
リフトローラ３１３は、ゴム、プラスチック等の非金属材料からなり、回転自在にＬＣＤホルダ３０７に取り付けられている。
【００５５】
（画像形成装置の動作）
次に、画像形成装置１００の動作を説明する。
（１）表示記録媒体の挿入
表示記録媒体４が、図８（ａ）に示すように、図の右方向からガイド部材３０１Ａ，３０１Ｂに挿入されると、図８（ｂ）に示すように、表示記録媒体４の先端がリフトローラ３１３の上面に乗り上げ、圧縮バネ３０６のバネ力に抗してリフトローラ３１３を押し下げ、表示記録媒体４の下面にＬＣＤパネル３５の表面に接触しない程度の隙間が生じる。
【００５６】
（２）表示記録媒体の搬入
さらに表示記録媒体４を挿入して媒体検出センサ３１がそれを検出すると、制御部２０は、図示しない搬送モータを駆動して搬送ローラ３０３Ａ，３０３Ｂ，３０４Ａ，３０４Ｂを回転させる。表示記録媒体４の先端がストッパ３０９Ａに当接し、図８（ｃ）に示す書込み位置へ搬送される。これと同時に、ＬＣＤホルダ３０７は、圧縮バネ３０６のバネ力により表示記録媒体４に近接あるいは密着する。
【００５７】
（３）画像の書込み
次に、ユーザがＰＣ１を操作し、表示記録媒体４に書き込みたい画像を選択し、その画像の書込み指示を行うと、第１の実施の形態と同様に、表示記録媒体４の初期化が行われた後、表示記録媒体４の画像書込表示領域４ｃに画像が書き込まれる。
【００５８】
（４）表示記録媒体の搬出
ＬＣＤ駆動部３６による表示記録媒体４への書込み動作が終了すると、制御部２０は、媒体搬送部３２の搬送モータを逆転駆動し、搬送ローラ３０３Ａ，３０３Ｂ，３０４Ａ，３０４Ｂを逆回転させ、表示記録媒体４を挿入口５へ送り出す。制御部２０は、表示記録媒体４の通過を媒体検出センサ３１が検出したことをもって、搬送ローラ３０３Ａ，３０３Ｂ，３０４Ａ，３０４Ｂを停止させる。このとき、表示記録媒体４は、リフトローラ３１３と受け部材３２０との間に挟持された状態になる。
【００５９】
（５）表示記録媒体の取出し
ユーザは、挿入口５から露出した表示記録媒体４を手で画像書込ユニット３から引き出す。ＬＣＤホルダ３０７は、図８（ａ）に示す位置に復帰する。
【００６０】
この第３の実施の形態によれば、ＬＣＤパネル３５の表面に疵が付くのを防ぐことができるとともに、ＬＣＤホルダ３０７を回動するリフトモータが不要となるため、第１の実施の形態に比べて、構成を更に小型化、簡素化することができる。なお、リフトローラ３１３は、表示記録媒体４の画像書込表示領域４ｃ上を通過しないように左右に設けてもよい。これにより、画像書込表示領域４ｃの損傷を防ぐことができる。
【００６１】
［第４の実施の形態］
図９は、本発明の第４の実施の形態に係る画像書込ユニットを示す。図９において、（ａ）は表示記録媒体４の搬入前の状態を示し、（ｂ）は表示記録媒体４の噛み込み直後の状態を示し、（ｃ）は表示記録媒体４の搬入完了後の状態を示し、（ｄ）は（ａ）のＥ−Ｅ線断面図、（ｅ）は（ａ）のＦ−Ｆ線断面図である。
【００６２】
この第４の実施の形態は、第３の実施の形態において、リフトローラ３１３に代えて樹脂等による半円形の押し下げ部材３１４を低摩擦部材として設け、ガイド部材３０１Ａ，３０１Ｂに取り付けられた受け部材３２０に凹部３２０ａを設けたものであり、その他の構成は、第３の実施の形態と同様である。
【００６３】
押し下げ部材３１４は、円柱形状を半分にした半円柱形状を有し、ＬＣＤホルダ３０７の上面に固定設置されている。押し下げ部材３１４は、射出成形等によりＬＣＤホルダ３０７と一体的に樹脂等から形成してもよい。また、ＬＣＤホルダ３０７と一体的にアルミニウム等の金属から形成し、押し下げ部材３１４の表面に４フッ化エチレン樹脂等の樹脂をコーティングしてもよい。
【００６４】
（画像形成装置の動作）
表示記録媒体４が、図９（ａ）に示すように、図の右方向からガイド部材３０１Ａ，３０１Ｂに挿入されると、図９（ｂ）に示すように、表示記録媒体４の先端が押し下げ部材３１４の上面に乗り上げて押し下げ部材３１４を押し下げ、表示記録媒体４の下面にＬＣＤパネル３５の表面に接触しない程度の隙間が生じる。
【００６５】
さらに表示記録媒体４を挿入して媒体検出センサ３１がそれを検出すると、制御部２０は、図示しない搬送モータを駆動して搬送ローラ３０３Ａ，３０３Ｂ，３０４Ａ，３０４Ｂを回転させる。表示記録媒体４の先端がストッパ３０９Ａに当接し、図９（ｃ）に示す書込み位置へ搬送される。後の動作は第３の実施の形態と同様であるのでその説明を省略する。
【００６６】
この第４の実施の形態によれば、第３の実施の形態よりもＬＣＤホルダ３０７の押し下げ角が大きくなるので、湾曲した表示記録媒体４でもＬＣＤパネル３５が擦られるのを防ぐことができる。なお、押し下げ部材３１４は、表示記録媒体４の画像書込領域４ｃ上を通過しないように左右に設けてもよい。
【００６７】
［第５の実施の形態］
図１０は、本発明の第５の実施の形態に係る画像書込ユニットを示す。この第５の実施の形態は、第１の実施の形態において、圧縮バネ３０６に代えて、引っ張りバネ３１８を用い、この引っ張りバネ３１８をＬＣＤホルダ３０７に設けた突片３１１とガイド部材３０１Ｂに設けた突片３１７との間に係着させたものであり、その他の構成は第１の実施の形態と同様である。
【００６８】
この第５の実施の形態によれば、表示記録媒体４が搬入されるときは、カムによってＬＣＤホルダ３０７が押し下げられ、表示記録媒体４が書込み位置に搬送された後は、ＬＣＤホルダ３０７は、引っ張りバネ３１８によって上方に引っ張られてＬＣＤパネル３５が表示記録媒体４に密着するので、第１の実施の形態と同様に、ＬＣＤパネル３５の表面が擦られるのを防止することができる。
【００６９】
［第６の実施の形態］
図１１は、本発明の第６の実施の形態に係る画像書込ユニットを示す。この第６の実施の形態は、図８に示した第３の実施の形態において、リフトローラ３１３を表示記録媒体４の幅方向に対して角度θをつけて回転自在に配置したローラ３１９としたものであり、その他の構成は第３の実施の形態と同様である。
【００７０】
図１１において、表示記録媒体４を画像書込ユニット３の挿入口５から挿入すると、表示記録媒体４の先端がローラ３１９に乗り上げる過程で、表示記録媒体４が圧縮バネ３０６のバネ力に抗してローラ３１９を押し下げ、これによりＬＣＤホルダ３０７が押し下げられる。
【００７１】
さらに、ローラ３１９が斜めに取り付けられているため、表示記録媒体４は、搬送の過程でガイド部材３０１Ａの内側に引き寄せられ、表示記録媒体４は傾きを持つことがない。また、表示記録媒体４とＬＣＤホルダ３０７との間に空間が生じるため、表示記録媒体４はＬＣＤパネル３５の表面を擦ることなく搬送される。
【００７２】
この第６の実施の形態によれば、ＬＣＤパネル３５が表示記録媒体４により擦られるのを防ぐことができる。また、傾斜して設置されたローラ３１９により表示記録媒体４の傾きを防止することができるので、表示記録媒体４を円滑に搬送することができ、記録する画像の傾きを防ぐことができる。
【００７３】
［第７の実施の形態］
図１２は、本発明の第７の実施の形態に係る画像書込ユニットを示し、（ａ）は図３のＡ−Ａ線断面図、（ｂ）は図３のＢ−Ｂ線断面図、（ｃ）は図３のＣ−Ｃ線断面図である。
【００７４】
この第７の実施の形態は、第１の実施の形態において、ストッパ３０９Ａ，３０９Ｂを省き、その代わりに媒体検出センサ３９を設け、リード３４をソレノイド３８により上下動させるようにし、筐体３１０の後方に表示記録媒体４の排出口６を設け、表示記録媒体４を筐体３１０の後方から搬出できるようにしたものである。
【００７５】
表示記録媒体４を搬送させた場合、後方の媒体検出センサ３９が表示記録媒体４の先端を検出したとき、制御部２０は、図示しない搬送モータを停止させ、ソレノイド３８によりリード３４を下降させて受電部４０７に当接させて画像を画像書込表示領域４ｃに書き込んだ後、搬送モータを正転駆動して表示記録媒体４を排出口６に搬出するものである。ＬＣＤホルダ３０７等の他の動作は第１の実施の形態と同様であるので、その説明を省略する。
【００７６】
この第７の実施の形態によれば、ＬＣＤパネル３５が表示記録媒体４により擦られるのを防ぐことができるとともに、表示記録媒体４を搬入方向と同一の方向に設けた排出口６からに搬出するようにしたので、書込み処理を効率的に行うことができる。
【００７７】
［第８の実施の形態］
図１３は、本発明の第８の実施の形態に係る画像書込ユニットを示す。この第８の実施の形態は、第１の実施の形態において、ガイド部材３０１Ａ，３０１Ｂに対し、光源３７、ＬＣＤホルダ３０７等の配置を上下逆にしたものであり、その他の構成は第１の実施の形態と同様である。この第８の実施の形態によれば、第１の実施の形態と同様にＬＣＤパネル３５が表示記録媒体４により擦られるのを防ぐことができるとともに、画像書込表示領域４ｃを上にして筐体３１０の挿入口５に挿入し、書込み後はその向きで挿入口５に排出されるので、直ちに書き込まれた画像を見ることができる。
【００７８】
なお、第２乃至第７の実施の形態も、第８の実施の形態と同様に、上下逆の構成にすることができる。この場合、第４の実施の形態の凹部３２０ａは貫通穴とすることにより、ゴミ等が溜まるのを防ぐことができる。
【００７９】
[第９の実施の形態]
図１４は、本発明の第１４の実施の形態に係る画像表示ユニットを示す。この第９の実施の形態は、第８の実施の形態と同様に、ガイド部材に対し、光源、ＬＣＤホルダ等を第１の実施の形態とは上下逆に配置したものである。
【００８０】
この第９の実施の形態は、ＬＣＤパネル３５を保持するＬＣＤホルダ３０７と、表示記録媒体４を下側より受けるガイド板３２２とを有している。なお、ガイド部材３０１Ａ，３０１Ｂ、媒体検出センサ３１、ストッパ３０９Ａ，３０９Ｂ等の図示を省略している。
【００８１】
ＬＣＤホルダ３０７は、左右に回転軸３０８を突出させ、圧縮バネ３０６が作用する位置は、ＬＣＤパネル３５の中心よりも回転軸３０８から遠い位置に設けられている。これにより、圧縮バネ３０６のバネ力を小さくすることができ、ＬＣＤホルダ３０７の剛性を小さくすることができる。また、ＬＣＤホルダ３０７は、リード３４が配置されるか開口３０７ａが形成されている。また、ＬＣＤホルダ３０７をリフトさせるリフトローラ３２１を設けている。
【００８２】
ガイド部材３２２は、アルミニウム等の軽金属からなり、表面に４フッ化エチレン等の樹脂をコーティングしたものであり、リフトローラ３２１を逃げるように切欠３２２ａを設けている。なお、ガイド板３２２は、全体を樹脂から形成してもよい。
【００８３】
この第９の実施の形態によれば、ＬＣＤホルダ３０７を回動させるリフトモータを不要にすることができ、構成を小型にすることができる。また、ガイド板３２２に切欠３２２ａを設けることにより、ＬＣＤホルダ３０７のリフト角度を大きくすることができるので、湾曲した表示記録媒体４でもＬＣＤパネル３５が擦られるのを防ぐことができる。また、搬送ローラ３０３Ａ，３０３Ｂ，３０４Ａ，３０４Ｂおよびリフトローラ３２１は、表示記録媒体４の画像書込表示領域４ｃ上を通過しないように左右に設けられているので、画像書込表示領域４ｃの損傷を防ぐことができる。
【００８４】
［第１０の実施の形態］
図１５は、本発明の第１０の実施の形態に係る表示記録媒体の層構成を示す。この第１０の実施の形態に係る表示記録媒体４は、第１の実施の形態の表示記録媒体４において、書込パターン光の照射方向と見る方向が逆のタイプとしたものであり、画像書込ユニット３の全体の構成等は第１の実施の形態と同じである。
【００８５】
図１５に示すように、この表示記録媒体４は、図６の表示記録媒体４において、離間層４０９を除去し、光導電層４０４と光吸収層４０５を入れ換えたものであり、その他の構成は図６と同様である。
【００８６】
この表示記録媒体４の画像の書込みは、裏面４ｂ側から画像書込領域４ｄに書込パターン光４０を照射し、更に、ＬＣＤ駆動部３６から所定の電圧がリード３４を介して一対の受電部４０７に印加することにより行われる。なお、書き込まれた画像は、図１３に示す方向Ｅから見ることができる。
【００８７】
この第１０の実施の形態によれば、第１の実施の形態と同様にＬＣＤパネル３５が表示記録媒体４により擦られるのを防ぐことができるとともに、画像表示領域４ｅを上にして筐体３１０の挿入口５に挿入し、書込み後はその向きで挿入口５に排出されるので、直ちに書き込まれた画像を見ることができる。また、第１乃至第９の実施の形態の画像書込ユニットに用いることができる。
【００８８】
［他の実施の形態］
なお、本発明は、上記各実施の形態に限定されず、本発明の趣旨を逸脱しない範囲内で種々な変形が可能である。各実施の形態の構成要素は、本発明の趣旨を逸脱しない範囲で任意に組み合わせることができる。
【図面の簡単な説明】
【００８９】
【図１】本発明の第１の実施の形態に係る画像形成装置を示す斜視図である。
【図２】図１のコントローラ及び画像書込ユニットの制御系の構成を示すブロック図である。
【図３】図１の画像書込ユニットの内部構成を示す平面図である。
【図４】図３の画像書込ユニットの各部の断面図を示し、（ａ）はＡ−Ａ線断面図、（ｂ）はＢ−Ｂ線断面図、（ｃ）はＣ−Ｃ線断面図である。
【図５】図４のＤ−Ｄ線断面図である。
【図６】第１の実施の形態における表示記録媒体の層構成を示す断面図である。
【図７】本発明の第２の実施の形態に係る画像書込ユニットの構成を示す正面断面図である。
【図８】本発明の第３の実施の形態に係る画像書込ユニットを示し、（ａ）は表示記録媒体の搬入前の状態を示す正面図、（ｂ）は表示記録媒体の噛み込み直後の状態を示す正面図、（ｃ）は表示記録媒体の搬入完了後の状態を示す正面図、（ｄ）は（ａ）のＥ−Ｅ線の断面図、（ｅ）は（ａ）のＦ−Ｆ線の断面図である。
【図９】本発明の第４の実施の形態に係る画像書込ユニットを示し、（ａ）は表示記録媒体を搬入前の画像書込ユニットの状態を示す正面図、（ｂ）は表示記録媒体の噛み込み直後の状態を示す正面図、（ｃ）は表示記録媒体の搬入完了後の状態を示す正面図、（ｄ）は（ａ）のＥ−Ｅ線の断面図、（ｅ）は（ａ）のＦ−Ｆ線の断面図である。正面図である。
【図１０】本発明の第５の実施の形態に係る画像書込ユニットを示す断面図である。
【図１１】本発明の第６の実施の形態に係る画像書込ユニットの概略構成を示す平面図である。
【図１２】本発明の第７の実施の形態に係る画像書込ユニットの構成を示し、（ａ）は図３のＡ−Ａ線断面図、（ｂ）は図３のＢ−Ｂ線断面図、（ｃ）は図３のＣ−Ｃ線断面図である。である。
【図１３】本発明の第８の実施の形態に係る画像書込ユニットの構成を示す側面図である。
【図１４】本発明の第９の実施の形態に係る画像書込ユニットを示し、（ａ）は平面図、（ｂ）は表示記録媒体の噛み込み後の状態を示す正面図、（ｃ）は表示記録媒体の搬入完了後の状態を示す正面図である。
【図１５】本発明の第１０の実施の形態に係る表示記録媒体の層構成を示す断面図である。
【符号の説明】
【００９０】
１  画像書込システム
２  コントローラ
３  画像書込ユニット
４  表示記録媒体
４ａ  表面
４ｂ  裏面
４ｃ  画像書込表示領域
４ｄ  画像書込領域
４ｅ  画像表示領域
４ｆ  フレーム部
５  挿入口
６  排出口
２０  制御部
２１  画像メモリ
２２  パルス電源部
２３  電源部
３１  媒体検出センサ
３２  媒体搬送部
３３  リフト駆動部
３４  リード
３５  ＬＣＤパネル
３６  ＬＣＤ駆動部
３７  光源
３８  ソレノイド
３９  媒体検出センサ
４０  書込パターン光
４１  照明光
４２  表示記録部
４３  反射光
１００  画像形成装置
３０１Ａ，３０１Ｂ  ガイド部材
３０２Ａ，３０２Ｂ  突片
３０３Ａ，３０３Ｂ  搬送ローラ
３０４Ａ，３０４Ｂ  搬送ローラ
３０５Ａ，３０５Ｂ  カム
３０６  圧縮バネ
３０７  ＬＣＤパネル
３０８  回転軸
３０９Ａ，３０９Ｂ  ストッパ
３１０  筐体
３１１  突片
３１２  回転軸
３１３  リフトローラ
３１４  押し下げ部材
３１６  凹部
３１７  突片
３１８  引っ張りバネ
３１９  ローラ
３２０  受け部材
３２０ａ  凹部
３２１  リフトローラ
３２２  ガイド板
３２２ａ  切欠
４０１Ａ，４０１Ｂ  基板
４０２Ａ，４０２Ｂ  透明電極
４０３  液晶層
４０４  光導電層
４０５  光吸収層
４０６  延在部
４０７  受電部
４０８  樹脂充填部
４０９  離間層
【図１】
2006312273.tif 000003
【図２】
2006312273.tif 000004
【図３】
2006312273.tif 000005
【図４】
2006312273.tif 000006
【図５】
2006312273.tif 000007
【図６】
2006312273.tif 000008
【図７】
2006312273.tif 000009
【図８】
2006312273.tif 000010
【図９】
2006312273.tif 000011
【図１０】
2006312273.tif 000012
【図１１】
2006312273.tif 000013
【図１２】
2006312273.tif 000014
【図１３】
2006312273.tif 000015
【図１４】
2006312273.tif 000016
【図１５】
2006312273.tif 000017